(57)【要約】【課題】建物開口部に取り付ける際の施工性に勝れ、スクリーンのメンテナンスも容易なスクリーン装置を得る。【解決手段】スクリーン装置１０が、建物開口部１に取り付けるスクリーン枠１１と、スクリーン枠１１に着脱自在の巻取モジュール１２とで形成されていて、巻取モジュール１２は、コイルばねの力を巻取力とする巻取軸１４と、巻取軸１４に巻かれたスクリーン１６と、スクリーンを開閉操作する操作框１７とを有し、スクリーン枠１１は、巻取モジュール１２を取り付けるためのブラケット３０と、操作框１７及びスクリーン１６の端部を案内する外部レール３６及び内部レール３７とを有し、内部レール３７はブラケット３０に固定的に連結され、外部レール３６は、ブラケット３０に、スクリーン１６の開閉方向及び／又は幅方向の自由度を有するように連結されている。【選択図】図１
2018104904.tif 000002
【特許請求の範囲】
【請求項１】
建物開口部に取り付けるスクリーン枠と、該スクリーン枠に着脱自在の巻取モジュールとを有し、
前記巻取モジュールは、中空の巻取ボックスと、該巻取ボックスの内部に回転自在に配設されてコイルばねの弾性力によりスクリーンを巻き取る巻取軸と、該巻取軸に基端部を連結されて先端部が前記巻取ボックスから外部に導出された前記スクリーンと、該スクリーンの先端部に連結された操作框とを有し、前記スクリーンの両側端部に、前記スクリーン枠の係止溝に係止して該側端部がスクリーン枠から外れるのを防止する係止部材が設けられており、
前記スクリーン枠は、前記巻取モジュールを取り付けるためのブラケットと、該ブラケットの一端と他端とにそれぞれ連結されたガイドレールとを有し、
前記ガイドレールは、前記操作框の端部をガイドする外部レールと、該外部レールの内部に配設されて前記スクリーンの端部をガイドする内部レールとを有し、該内部レールに前記係止溝が形成されており、
前記内部レールは、前記ブラケットに固定的に連結され、
前記外部レールは、前記ブラケットに、前記スクリーンの開閉方向及び該スクリーンの幅方向のうち少なくとも一方向への自由度を有するように連結されている、
ことを特徴とするモジュール式スクリーン装置。
【請求項２】
前記ブラケットは、スクリーンの幅方向に延びる基板部と、該基板部の両端からスクリーンの開閉方向に向けて互いに平行に延びる一対のレール取付部とを有し、該レール取付部に、前記内部レールが固定的に連結されると共に、前記外部レールが前記自由度を有するように連結され、前記基板部と一対のレール取付部との間に前記巻取モジュールが取り付けられていることを特徴とする請求項１に記載のスクリーン装置。
【請求項３】
前記内部レールは、該内部レールの端部に取り付けられた第１連結具を介して前記レール取付部に固定され、
前記外部レールは、前記第１連結具に連結された第２連結具を介して前記レール取付部に前記自由度を有するように連結されている、
ことを特徴とする請求項２に記載のスクリーン装置。
【請求項４】
前記第２連結具は、前記第１連結具に、スクリーンの幅方向の自由度を有するように連結され、該第２連結具に前記外部レールが、スクリーンの開閉方向の自由度を有するように連結されていることを特徴とする請求項３に記載のスクリーン装置。
【請求項５】
前記第１連結具には、前記内部レールの係止溝の端部に連なって前記スクリーンの係止部材を該係止溝内に導入する導入溝が形成され、該導入溝の導入口は、外側に向けて溝幅が次第に拡大されていることを特徴とする請求項３又は４に記載のスクリーン装置。
【請求項６】
前記巻取モジュール及びブラケットの一方と他方とに、相互に係合及び離脱可能なフック及びフック係止孔の一方と他方とが設けられ、前記フックをフック係止孔に係合させることにより前記巻取モジュールが前記ブラケットに取り付けられ、前記フックをフック係止孔から離脱させることにより前記巻取モジュールが前記ブラケットから取り外し可能となることを特徴とする請求項１から５の何れかに記載のスクリーン装置。
【発明の詳細な説明】
【技術分野】
【０００１】
本発明は、遮光、断熱、目隠し、防虫、花粉の侵入防止等のため建物開口部に取り付けるスクリーン装置に関するものであり、更に詳しくは、スクリーンと該スクリーンを巻き取るための巻取機構とをモジュール化してスクリーン枠に対して着脱自在としたモジュール式スクリーン装置に関するものである。
【背景技術】
【０００２】
建物開口部に取り付ける矩形のスクリーン枠に、コイルばねの弾性力を巻取力とする巻取軸を取り付けると共に、該巻取軸に基端部が巻き付けられたスクリーンを取り付け、該スクリーンの先端部に連結された操作框を操作して該スクリーンを前記巻取軸に巻き取ったり該巻取軸から引き出したりするように構成されたスクリーン装置は、従来より良く知られているところである。
【０００３】
この種のスクリーン装置において、前記スクリーン枠は、一般に、上下の横枠杆と左右の縦枠杆とにより形成されていて、スクリーンを上下方向に移動させて開閉する縦開きタイプと、スクリーンを左右方向に移動させて開閉する横開きタイプとがある。このうち、例えば縦開きタイプにおいては、上方の横枠杆に巻取ボックスが形成され、該巻取ボックスの内部に前記巻取軸が取り付けられている。また、左右の縦枠杆は、それぞれ、前記操作框の端部をガイドする外部レールと、スクリーンの側端部をガイドする内部レールとからなっていて、該内部レールにスリット状の係止溝が形成され、この係止溝に、前記スクリーンの側端部に取り付けられた係止部材が係止することにより、該スクリーンの側端部がスクリーン枠から外れるのが防止されるようになっている。また、前記内部レールは、前記外部レールの内部に、相互に固定的な位置関係を保った状態で収容されている。
【０００４】
ところが、前記一般型のスクリーン装置は、前記スクリーンの係止部材を内側レールの係止溝に係止させると共に、前記操作框の端部を前記外部レールの案内構に嵌合させた状態で、前記スクリーン枠と巻取軸とスクリーンとが組み立てられているため、該スクリーン装置を建物開口部に取り付けたあと、前記スクリーンの清掃や補修あるいは交換等のメンテナンスを行う場合に、前記スクリーン枠を建物開口部に取り付けたままでは、前記スクリーン及び巻取軸を該スクリーン枠から取り外すことができない。このため、前記スクリーン装置全体を建物開口部から取り外して分解し、メンテナンスを行ったあと、該スクリーン装置を再び組み立て直して建物開口部に取り付けなければならず、多大な手間と時間とを必要としていた。
また、前記スクリーン枠は、一定の大きさに形成されているため、それを建物開口部に取り付ける際に、該スクリーン枠と建物開口部と間に寸法誤差があっても寸法調整することができず、取り付けが困難になる場合がある。これらの問題は、横開きタイプのスクリーン装置においても同様である。
【０００５】
一方、特許文献１には、上下の横枠（ガイドレール）と左右の縦枠とで形成された矩形の網窓（スクリーン枠）の、一方の縦枠からなる開放形枠に、スクリーンの巻取装置を内蔵するカートリッジ（巻取モジュール）を着脱自在に取り付けたスクリーン装置が開示されている。この改良型のスクリーン装置は、スクリーンのメンテナンスを行う際に、該スクリーン装置を建物開口部に取り付けたまま前記カートリッジを網窓の開放形枠から取り外すことができるので、メンテナンスを簡単に行うことができる。
【０００６】
しかし、前記改良型のスクリーン装置においても、前記網窓が、前記上下の横枠と左右の縦枠とを予め固定的に連結することによって一定の大きさに形成されているため、該スクリーン装置を建物開口部に取り付ける際に、前記網窓と建物開口部との間に寸法誤差があると、その寸法誤差に合わせて該網窓の寸法調整を行うことができず、状況によってはスクリーン装置の取り付けが不可能になることもあり、施工性に問題があった。
【０００７】
前記開放形枠に対して前記上下の横枠を位置調整可能に連結することにより、前記網窓を寸法調整可能なるように構成することはできるが、前記上下の横枠に、スクリーンの上下両側端部の係止部材が係止する係止溝が形成されている場合には、前記横枠の位置調整によって上下の係止溝の間隔が変化するため、該係止溝の間隔と前記スクリーンの上下両側端部の係止部材の間隔とが合わなくなり、該スクリーンをカートリッジから引き出して網窓を閉じる際に、前記係止部材が前記係止溝内にうまく導入されないといった問題が生じ易い。
【先行技術文献】
【特許文献】
【０００８】
【特許文献１】特許第５１２６９８０号公報
【発明の概要】
【発明が解決しようとする課題】
【０００９】
本発明の技術的課題は、前記従来の欠点を解消したスクリーン装置を提供することにあり、具体的には、建物開口部に取り付ける際には該建物開口部に合わせて寸法調整することができ、また、スクリーンを巻取軸から引き出して閉じる際には、該スクリーンの側端部の係止部材をガイドレールの係止溝に確実に挿入、係止させることができ、更に、スクリーンのメンテナンスを行う際には、スクリーン装置を建物開口部に取り付けたままスクリーンをスクリーン枠から取り外すことができる、施工性と使用性とに勝れたスクリーン装置を提供することにある。
【課題を解決するための手段】
【００１０】
前記課題を解決するため、本発明のスクリーン装置は、建物開口部に取り付けるスクリーン枠と、該スクリーン枠に着脱自在の巻取モジュールとを有し、該巻取モジュールは、中空の巻取ボックスと、該巻取ボックスの内部に回転自在に配設されてコイルばねの弾性力によりスクリーンを巻き取る巻取軸と、該巻取軸に基端部を連結されて先端部が前記巻取ボックスから外部に導出された前記スクリーンと、該スクリーンの先端部に連結された操作框とを有し、前記スクリーンの両側端部に、前記スクリーン枠の係止溝に係止して該側端部がスクリーン枠から外れるのを防止する係止部材が設けられており、前記スクリーン枠は、前記巻取モジュールを取り付けるためのブラケットと、該ブラケットの一端と他端とにそれぞれ連結されたガイドレールとを有し、前記ガイドレールは、前記操作框の端部をガイドする外部レールと、該外部レールの内部に配設されて前記スクリーンの端部をガイドする内部レールとを有し、該内部レールに前記係止溝が形成されており、前記内部レールは、前記ブラケットに固定的に連結され、前記外部レールは、前記ブラケットに、前記スクリーンの開閉方向及び該スクリーンの幅方向のうち少なくとも一方向への自由度を有するように連結されていることを特徴とする。
【００１１】
本発明の具体的な構成態様によれば、前記ブラケットが、スクリーンの幅方向に延びる基板部と、該基板部の両端からスクリーンの開閉方向に向けて互いに平行に延びる一対のレール取付部とを有し、該レール取付部に、前記内部レールが固定的に連結されると共に、前記外部レールが前記自由度を有するように連結され、前記基板部と一対のレール取付部との間に前記巻取モジュールが取り付けられている。
【００１２】
この場合、前記内部レールは、該内部レールの端部に取り付けられた第１連結具を介して前記レール取付部に固定され、前記外部レールは、前記第１連結具に連結された第２連結具を介して前記レール取付部に前記自由度を有するように連結されていることが望ましい。
また、前記第２連結具は、前記第１連結具に、スクリーンの幅方向の自由度を有するように連結され、該第２連結具に前記外部レールが、スクリーンの開閉方向の自由度を有するように連結されていることが望ましい。
あるいは、前記第１連結具に、前記内部レールの係止溝の端部に連なって前記スクリーンの係止部材を該係止溝内に導入する導入溝が形成され、該導入溝の導入口は、外側に向けて溝幅が次第に拡大されていても良い。
【００１３】
更に、本発明においては、前記巻取モジュール及びブラケットの一方と他方とに、相互に係合及び離脱可能なフック及びフック係止孔の一方と他方とが設けられ、前記フックをフック係止孔に係合させることにより前記巻取モジュールが前記ブラケットに取り付けられ、前記フックをフック係止孔から離脱させることにより前記巻取モジュールが前記ブラケットから取り外し可能となるように構成されていることが望ましい。
【発明の効果】
【００１４】
本発明のスクリーン装置は、建物開口部に取り付ける際に、スクリーン枠と建物開口部との間に若干の寸法誤差があっても、外部レールの取付位置を調整することにより、寸法誤差を吸収してその取り付けを確実に行うことができ、また、内部レールをブラケットに固定的に連結したことにより、前記外部レールを位置調整のために変位させても、ブラケットに対する内部レールの位置即ち係止溝の位置は変化しないため、スクリーンを巻取軸から引き出す際に、該スクリーンの側端部の係止部材を前記内部レールの係止溝に確実に挿入、係止させることができ、更に、スクリーンと巻取軸とをモジュール化し、この巻取モジュールをスクリーン枠に対して着脱自在としたため、スクリーンのメンテナンスを行う際には、スクリーン装置を建物開口部に取り付けたまま、前記巻取モジュールだけをスクリーン枠から取り外してスクリーンのメンテナンスを容易に行うことができる。
【図面の簡単な説明】
【００１５】
【図１】本発明に係るスクリーン装置の縦断正面図であって、スクリーンを中間開放状態にした図である。
【図２】図１のＩＩ−ＩＩ線での断面図である。
【図３】図１のＩＩＩ−ＩＩＩ線での断面図である。
【図４】図１のスクリーン装置の斜視図である。
【図５】図１の要部拡大図である。
【図６】図２の要部拡大図である。
【図７】図３の要部拡大図である。
【図８】図４の状態からスクリーンを完全に開放した状態の要部斜視図である。
【図９】スクリーン枠から巻取モジュールを取り外した状態の要部分解斜視図である。
【図１０】図９の要部拡大図である。
【図１１】スクリーン枠の分解斜視図である。
【図１２】（ａ）は内部レールと第１取付具とを分離して示す要部斜視図、（ｂ）は外部レールと第２取付具とを分離して示す要部斜視図である。
【図１３】図５におけるＸＩＩＩ−ＸＩＩＩ線に沿った要部断面図で、係止装置のレバーを係止位置に回した状態の図である。
【図１４】図１３の状態からレバーを非係止位置に回した状態の断面図である。
【図１５】係止装置の分解斜視図である。
【発明を実施するための形態】
【００１６】
図は本発明に係るスクリーン装置１０の一実施形態を示すもので、このスクリーン装置１０は、遮光、断熱、目隠し、防虫、花粉の侵入防止等の目的のため建物の窓や出入り口等の建物開口部１に取り付けて使用するものであり、スクリーン１６を上下方向に移動させて開閉する縦開きタイプのスクリーン装置である。
【００１７】
図１−図９から明らかなように、前記スクリーン装置１０は、建物開口部１に取り付ける前記スクリーン枠１１と、該スクリーン枠１１に着脱自在の巻取モジュール１２とで構成されている。
【００１８】
前記巻取モジュール１２は、中空の巻取ボックス１３と、該巻取ボックス１３の内部に水平な軸線Ｌを中心に回転自在なるように配設され、内蔵するコイルばね１４ａの弾性力を巻取力として前記スクリーン１６を巻き取る巻取軸１４と、該巻取軸１４に基端部を連結され、先端部が前記巻取ボックス１３の下面の導出口１５から下向きに導出された前記スクリーン１６と、該スクリーン１６の先端部（下端部）に連結された操作框１７とを有している。
【００１９】
前記巻取ボックス１３は、図１及び図９から明らかなように、アルミニウム合金製のボックス本体部１８と、該ボックス本体部１８の左右両端部にそれぞれ取り付けられた合成樹脂製の端板部１９とで構成されていて、該左右の端板部１９の内面に設けられた軸受部１９ｃに前記巻取軸１４の一端と他端とが支持されている。また、前記端板部１９には、前記スクリーン１６を巻取軸１４に完全に巻き取ることによって前記操作框１７が開放端（上昇端）を占めている際に、該スクリーン１６の左右両側端部と前記操作框１７の左右両端部とが収納される収納部１９ａが、前記ボックス本体部１８より下方に突出するように形成されると共に、前記巻取ボックス１３をスクリーン枠１１に取り付ける際に、該スクリーン枠１１におけるレール取付部３３の室内側の側端部に当接することによって該巻取ボックス１３の位置決めを行う位置決め部１９ｂが形成されている。
【００２０】
更に、前記巻取ボックス１３には、前記巻取モジュール１２を前記スクリーン枠１１に対して着脱する際に、該巻取ボックス１３をスクリーン枠１１に係止させたり係止状態を解除したりするための係止装置２０が設けられているが、この係止装置２０の構成については後述する。
【００２１】
前記操作框１７には、室内側を向く前面の中央位置に操作用の把手２１が設けられ、この把手２１を持って該操作框１７を上下動させることにより、前記スクリーン１６を前記巻取軸１４から引き出したり該巻取軸１４に巻き取ったりすることができる。また、前記操作框１７の中央位置には、下向きに垂れ下がった紐２２が設けられ、該紐２２の下端に握持用の球体２３が取り付けられており、前記操作框１７が上方の開放端にある場合に、前記球体２３を掴んで該操作框１７を引き下げることができるように構成されている。
【００２２】
図１中の符号２４が付された部材は、操作框１７の下端部に取り付けられたゴム製のパッキンであって、該操作框１７を下降端まで引き下げたとき、建物開口部１の下枠部１ｂに当接して隙間を塞ぐための部材であり、また、符号２５が付された部材は、操作框１７の上端部に取り付けられたゴム製のクッションであって、該操作框１７を上降端まで押し上げたとき、該操作框１７が巻取ボックス１３に衝突して衝撃音が発せられるのを防止するための部材である。
【００２３】
前記スクリーン１６の左右両側端部には、前記スクリーン枠１１に形成された係止溝３７ａに係止して該側端部がスクリーン枠１１から外れるのを防止するための係止部材２６がそれぞれ設けられている。この係止部材２６は、ファスナーを形成する一対の噛合帯の一方によって形成されている。即ち、前記一対の噛合帯は、互いに噛み合う合成樹脂製の小片を一対の布テープの縁に取り付けることにより形成されたもので、何れか一方の噛合帯を前記スクリーン１６の端部に取り付けることにより、前記係止部材２６が形成されている。しかし、前記係止部材２６は、前記噛合帯以外のもので形成することもでき、例えば、布製又は合成樹脂製のテープに、断続する突起や連続する突条等を設けたもので形成することもできる。
【００２４】
図１０−図１２も参照して、前記スクリーン枠１１は、前記巻取モジュール１２を取り付けるためのブラケット３０と、該ブラケット３０の一端と他端とにそれぞれ上下方向（スクリーン１６の開閉方向）に延在するように連結された左右一対のガイドレール３１とを有している。
【００２５】
前記ブラケット３０は、左右方向（スクリーン１６の幅方向）に延びる基板部３２と、該基板部３２の左右両端からそれぞれ下方に向けて互いに平行に延びる一対のレール取付部３３とを有し、該一対のレール取付部３３にそれぞれ前記ガイドレール３１が取り付けられ、前記基板部３２と一対のレール取付部３３とで囲まれた空間部分に前記巻取モジュール１２が取り付けられるようになっている。
【００２６】
前記基板部３２は、アルミニウム合金製の押出型材により形成され、該基板部３２の室外側の端部である後端部には、図６から明らかなように、前記巻取ボックス１３の後面上端部に当接する当接壁３２ａが下向きに延出するように形成され、該基板部３２の下面の前記当接壁３２ａよりやや室内側に寄った位置には、前記巻取ボックス１３の水平を向く第１係止壁１３ａに下から係止する第２係止壁３２ｂが、室内側に向けて水平に延出するように形成されている。
【００２７】
前記レール取付部３３は、金属製の細板状部材を逆Ｌ字形に折曲することにより形成されたもので、その短辺部３３ａ（図５参照）が螺子３４で前記基板部３２に固定されており、該レール取付部３３の下端部は、前記巻取ボックス１３の下面よりやや下方位置まで延びている。前記レール取付部３３の室内外方向幅は、前記基板部３２の室内外方向幅より狭く、該レール取付部３３の幅方向の中央位置には、該レール取付部３３の内側面側に向けて向けて突出する突条３３ｂが上下方向に形成され、該突条３３ｂの下端部近くに、ガイドレール取付用の螺子孔３３ｃと、該螺子孔３３ｃを挟んで相対する一対の抱持アーム３３ｄ，３３ｄとが形成されている。
【００２８】
図１１中の符号３５が付された部材は、合成樹脂製のカバー部材であり、該カバー部材３５は、前記ブラケット３０の左右両端部に、着脱自在且つブラケット３０の左右方向にスライド自在なるようにそれぞれ装着されている。このカバー部材３５は、前記レール取付部３３の左右方向の外面を覆う第１カバー部３５ａと、前記レール取付部３３の後面（室外面）を覆う第２カバー部３５ｂと、前記基板部３２の上面に摺動自在に係合する係合部３５ｃとを有している。該係合部３５ｃは、複数の部分に分かれている。
前記カバー部材３５を左右方向にスライド自在としたのは、後述するように、ガイドレール３１における外部レール３６の位置を左右方向に調整した場合に、該外部レール３６との接触を避けるためである。
【００２９】
前記ガイドレール３１は、図１０−図１２ａ，１２ｂから明らかなように、前記操作框１７の端部をガイドするアルミニウム合金製の中空の前記外部レール３６と、該外部レール３６の内部に収容されて前記スクリーン１６の端部をガイドする合成樹脂製の内部レール３７とを有している。前記外部レール３６の、前記スクリーン枠１１の内側を向く内面には、前記操作框１７の端部が嵌合する案内溝３６ａが、該外部レール３６の長手方向全長にわたって形成され、前記内部レール３７の、前記スクリーン枠１１の内側を向く内面には、前記スクリーン１６の端部の係止部材２６が嵌入して内縁に係止するスリット状の前記係止溝３７ａが、該内部レール３７の長手方向全長にわたって形成されている。
【００３０】
前記内部レール３７は、前記ブラケット３０に固定的に連結され、前記外部レール３６は、前記ブラケット３０に、上下方向及び左右方向の自由度を有するように連結されている。これら内部レール３７及び外部レール３６の構成について以下に詳細に説明する。
【００３１】
先ず、前記内部レール３７の上端には、合成樹脂製の第１連結具４０が第１取付螺子４１により固定されている。この第１連結具４０は、内部レール３７の上端に当接する本体部４０ａと、該本体部４０ａから上方に立ち上がった連結部４０ｂとを有し、該連結部４０ｂに位置決め溝４３と螺子挿通孔４４とが形成されている。そして、前記連結部４０ｂを前記レール取付部３３の抱持アーム３３ｄ，３３ｄ間に嵌合させると共に、該連結部４０ｂの位置決め溝４３内にレール取付部３３の突条３３ｂを嵌合させることにより、これらレール取付部３３と連結部４０ｂとを相互に位置決めした状態で、レール固定螺子４２を前記螺子挿通孔４４内に挿通してレール取付部３３の螺子孔３３ｃにねじ込むことにより、前記内部レール３７が前記ブラケット３０に固定されている。
【００３２】
前記本体部４０ａには、前記内部レール３７の係止溝３７ａの上端部に連なる導入溝４５が形成されている。この導入溝４５は、前記巻取モジュール１２から引き出されたスクリーン１６の係止部材２６を前記係止溝３７ａ内に導入するためのものであり、その導入を容易且つ確実にするため、該導入溝４５の上端の導入口４５ａは、外側即ち巻取モジュール１２側に向けて次第に孔幅が拡大している。
【００３３】
このように、前記内部レール３７を、前記第１連結具４０を介してブラケット３０に固定的に連結することにより、該ブラケット３０に前記巻取モジュール１２を取り付けたと際に、前記スクリーン１６の側端部の係止部材２６が必ず前記導入口４５ａの真上に位置するようになっているため、該スクリーン１６を巻取軸１４から引き出して閉じる際に、前記係止部材２６が前記導入口４５ａから導入溝４５を通じて内部レール３７の係止溝３７ａ内に確実に導入されることになる。
【００３４】
一方、前記外部レール３６の上端部には、合成樹脂製の第２連結具４８が、該外部レール３６に対して相対的に上下方向の自由度を有するように取り付けられている。この第２連結具４８は、平面視形状がコ字形をなす部材であって、その開口部４８ａが外部レール３６の案内溝３６ａと一致する向きに配設され、該第２連結具４８の内部に外部レール３６の上端部が嵌合している。
【００３５】
前記外部レール３６と第２連結具４８とが上下方向へ相対的に変位可能な範囲を画定するため、前記外部レール３６の外面には、上下方向に延びる凹溝３６ｂの上端部近くに、上下方向に細長い係止孔４９が形成され、これに対して前記第２連結具４８には、前記凹溝３６ｂに嵌合する支持壁４８ｃの一部を切り起こすことによって上向きの係止片４８ｄが形成され、この係止片４８ｄが前記係止孔４９に外側から嵌合している。また、前記第２連結具４８の前記係止片４８ｄより上方位置には、前記外部レール３６の上端縁が当接する段壁４８ｅが形成されている。
【００３６】
そして、前記外部レール３６を第２連結具４８に対して下方に変位させると、該外部レール３６は、前記係止片４８ｄが前記係止孔４９の上端縁４９ａに係止する下限位置で停止し、前記外部レール３６を第２連結具４８に対して上方に変位させると、該外部レール３６は、その上端部３６ａが第２連結具４８の段壁４８ｅに当接する上限位置で停止し、これら上限位置と下限位置との間で前記外部レール３６の上下方向の位置を調整することができるようになっている。
【００３７】
前記第２連結具４８は、前記第１連結具４０に、左右方向の自由度を有するように支持されている。即ち、前記第１連結具４０の本体部４０ａは第２連結具４８の内部に嵌合していて、該本体部４０ａの室内外方向の両側端部に形成された係止縁４０ｃが、前記第２連結具４８の室内外方向の内側面に形成された係止段部４８ｆに下から係止することにより、該第２連結具４８が、前記第１連結具４０に、前記係止段部４８ｆに沿って左右方向に変位自在なるように支持されている。そして、このように、前記第２連結具４８が第１連結具４０に左右方向の自由度を有するように支持されると共に、該第２連結具４８に前記外部レール３６が上下方向の自由度を有するように支持される結果、前記外部レール３６は、前記ブラケット３０に、上下方向及び左右方向の自由度を有するように支持されることになる。
【００３８】
また、前記係止装置２０は、前記巻取ボックス１３の前面上端寄りの二箇所に設けられている。この係止装置２０は、図１３−図１５から明らかなように、前記巻取ボックス１３に固定された取付部材５２と、該取付部材５２の前面に、水平を向く係止位置（図４、図８、図１３参照）と垂直を向く非係止位置(図９、図１４参照)とに回転操作可能なるように取り付けられたレバー５３と、該レバー５３の軸５３ａに螺子５８により取り付けられて回転操作されるフック部材５４と、該フック部材５４に形成されたフック５４ａとを有し、前記レバー５３を前記係止位置に回転させると、前記フック部材５４のフック５４ａが立ち上がって取付部材５２から上方に突出することにより、前記ブラケット３０の基板部３２に形成されたフック係止孔５５に係止し、前記レバー５３を前記非係止位置に回転させると、前記フック５４ａが横向きに倒れて前記取付部材５２の内部に収納されることにより、前記フック係止孔５５から外れるようになっている。
【００３９】
前記構成を有するスクリーン装置１０を建物開口部１に取り付けるときは、図９に示すように前記スクリーン枠１１から巻取モジュール１２を取り外し、その状態で該スクリーン枠１１を建物開口部１に取り付けたあと、該スクリーン枠１１に前記巻取モジュール１２を取り付けるようにする。このとき、該巻取モジュール１２は、操作框１７を開放端まで押し上げることにより、前記スクリーン１６を巻取軸１４に完全に巻き取った状態にしておく。
【００４０】
前記スクリーン枠１１の建物開口部１への取り付けは、以下のようにして行う。即ち、先ず、前記ブラケット３０の基板部３２を建物開口部１の上枠部１ａに螺子５６（図６）で固定し、次に、左右のガイドレール３１の外部レール３６を、建物開口部１の左右の側枠部１ｃにそれぞれ螺子５７（図３）で固定する。このとき、前記スクリーン枠１１と建物開口部１との間に上下方向（高さ方向）及び左右方向（間口方向）の寸法誤差がある場合には、その誤差に応じて前記外部レール３６を上下方向及び左右方向に変位させることによって該外部レール３６の位置調整を行い、位置調整後に該外部レール３６を、建物開口部１の左右の側枠部１ｃに固定するようにする。
これにより、前記スクリーン枠１１と建物開口部１との間に上下方向及び左右方向の寸法誤差があった場合でも、該スクリーン枠１１を建物開口部１に確実に取り付けることができる。
【００４１】
このようにして前記スクリーン枠１１を建物開口部１に取り付けたあと、該スクリーン枠１１のブラケット３０に前記巻取モジュール１２を取り付ける。その際、前記係止装置２０のレバー５３を非係止位置に回転させることにより、フック部材５４のフック５４ａを横向きに倒して前記取付部材５２の内部に収納された状態にしておく。そして、その状態で前記巻取ボックス１３を、前記ブラケット３０の基板部３２と左右のレール取付部３３との間に収容し、該巻取ボックス１３の上面の第１係止壁１３ａを前記基板部３２の下面の第２係止壁３２ｂに係止させると共に、前記巻取ボックス１３の両端の端板部１９に形成された位置決め部１９ｂを、前記スクリーン枠１１のレール取付部３３の室内側の端部に当接させて該巻取ボックス１３の位置決めを行い、そのあと、前記レバー５３を前記係止位置に回転させれば、前記フック部材５４のフック５４ａが立ち上がって前記基板部３２のフック係止孔５５に係止するため、図８に示すように、前記スクリーン枠１１に対する巻取モジュール１２の取り付けが完了する。
【００４２】
このとき、前記スクリーン１６の両側端部の係止部材２６は、必ず第１連結具４０の導入溝４５の真上に位置し、また、前記操作框１７の両側端部も、前記外部レール３６の位置調整が行われた場合でも、その調整方向は上下方向及び／又は左右方向であって室内外方向ではないため、必ず第２連結具４８の開口部４８ａの真上に位置することになり、室内外方向への位置ずれを生じることはない。
【００４３】
前記スクリーン装置１０を建物開口部１に取り付けたあと、該建物開口部１を前記スクリーン１６で閉鎖するときは、図４に示すように、前記操作框１７を引き下げることにより、前記スクリーン１６を巻取軸１４から引き出すようにする。このとき、前記操作框１７の両端部は、左右のガイドレール３１における外部レール３６の案内溝３６ａ内に嵌入して該案内溝３６ａにガイドされ、また、前記スクリーン１６の両側端部の係止部材２６は、左右のガイドレール３１における内部レール３７の係止溝３７ａ内に、第１連結具４０の拡大された導入口４５ａから導入溝４５を通じて導入され、該係止溝３７ａの内縁に係止した状態で該係止溝３７ａによりガイドされる。
【００４４】
また、前記スクリーン１６を開放するときは、前記操作框１７を軽く押し上げることにより、前記スクリーン１６が前記巻取軸１４に、コイルばね１４ａの弾性力を巻取力として自動的に巻き取られる。
【００４５】
前記スクリーン１６の清掃や補修あるいは交換等のメンテナンスを行う場合には、図８に示すように、前記操作框１７を開放端まで押し上げることにより前記スクリーン１６を巻取軸１４に完全に巻き取った状態にしたあと、図９に示すように前記巻取モジュール１２をスクリーン枠１１から取り外し、取り外した状態で前記スクリーン１６に対するメンテナンスを行う。そして、メンテナンスが終了したあと、前記巻取モジュール１２を再び前記スクリーン枠１１に取り付ければ良い。従って、前記スクリーン枠１１を建物開口部１に取り付けたまま、前記スクリーン１６を該スクリーン枠１１から取り外すしてメンテナンスすることができる。
【００４６】
図示した実施形態では、ガイドレール３１の外部レール３６が、上下方向及び左右方向の自由度を有しているが、外部レール３６が上下方向のみ又は左右方向のみの自由度を有するように構成されていても良い。
また、図示した実施形態のスクリーン装置１０は縦開きタイプであるが、本発明は横開きタイプのスクリーン装置にも適用することができる。
更に、前記係止装置２０は、それをブラケット３０側に設け、フック５４ａが係止するフック係止孔５５を巻取モジュール１２の巻取ボックス１３側に設けることもできる。
【符号の説明】
【００４７】
１      建物開口部
１０      スクリーン装置
１１      スクリーン枠
１２      巻取モジュール
１３      巻取ボックス
１４      巻取軸
１４ａ      コイルばね
１６      スクリーン
１７      操作框
２６      係止部材
３０      ブラケット
３１      ガイドレール
３２      基板部
３３      レール取付部
３６      外部レール
３７      内部レール
３７ａ      係止溝
４０      第１連結具
４５      導入溝
４５ａ      導入口
４８      第２連結具
５４ａ      フック
５５      フック係止孔
【図１】
2018104904.tif 000003
【図２】
2018104904.tif 000004
【図３】
2018104904.tif 000005
【図４】
2018104904.tif 000006
【図５】
2018104904.tif 000007
【図６】
2018104904.tif 000008
【図７】
2018104904.tif 000009
【図８】
2018104904.tif 000010
【図９】
2018104904.tif 000011
【図１０】
2018104904.tif 000012
【図１１】
2018104904.tif 000013
【図１２】
2018104904.tif 000014
【図１３】
2018104904.tif 000015
【図１４】
2018104904.tif 000016
【図１５】
2018104904.tif 000017